(57)【要約】【課題】画質の評価や調整用としてのサンプルプリント紙の適性を向上させること。【解決手段】画像データに基づく画像を用紙に形成するプリンタ部６０と、画像データの濃度ヒストグラムを生成する濃度ヒストグラム生成部１２０と、画像データの空白領域のうち最大の空白領域を検出する空白領域検出部１３０と、テスト画像データを生成するテスト画像データ生成部１４０と、画像データの最大の空白領域に、濃度ヒストグラム生成部により生成された濃度ヒストグラムに応じたテスト画像データを重畳させたサンプル画像データを生成させ、当該サンプル画像データに基づく画像をプリンタ部６０により用紙に形成させる制御部２００と、を備える画像形成装置。【選択図】図５
2010177862.tif 000002
【特許請求の範囲】
【請求項１】
画像データに基づく画像を用紙に形成する画像形成部と、
前記画像データの濃度ヒストグラムを生成する濃度ヒストグラム生成部と、
前記画像データの空白領域のうち特定形状をとる面積が最大の空白領域の位置とサイズとを検出する空白領域検出部と、
テスト画像データを生成するテスト画像データ生成部と、
前記空白領域検出部により検出された前記画像データの最大の空白領域に、前記濃度ヒストグラム生成部により生成された濃度ヒストグラムに応じた前記テスト画像データを重畳させたサンプル画像データを生成させ、当該サンプル画像データに基づく画像を前記画像形成部により用紙に形成させる制御部と、
を備える画像形成装置。
【請求項２】
前記画像データは、複数色の画像データであり、
前記濃度ヒストグラム生成部は、各色の画像データの濃度ヒストグラムを生成し、
前記テスト画像データ生成部は、各色のテスト画像データを生成し、
前記制御部は、
前記各色の画像データの濃度ヒストグラムに基づいて、前記特定形状で最大の空白領域に重畳する各色のテスト画像データの優先順位を設定し、当該優先順位に基づいて前記各色のテスト画像データを前記特定形状で最大の空白領域に重畳させる、
請求項１に記載の画像形成装置。
【請求項３】
前記制御部は、
前記特定形状で最大の空白領域のサイズが、全ての色のテスト画像データのサイズより小さい場合、予め設定された優先順位の色のテスト画像データを前記最大の空白領域に重畳させる、
請求項２に記載の画像形成装置。
【請求項４】
前記制御部は、
前記特定形状で最大の空白領域のサイズが、予め設定された優先順位の色のテスト画像データよりも小さい場合、全ての色のテスト画像データのサイズを縮小して、前記最大の空白領域に重畳させる、
請求項２又は３に記載の画像形成装置。
【請求項５】
前記制御部は、
前記各色の濃度ヒストグラムを複数の濃度領域に分け、各色の各領域の画素数を算出し、当該各領域の画素数が予め設定された規定画素数以上か否かを判別し、前記規定画素数以上の領域が少ない色の順番で、前記優先順位を高く設定する、
請求項２から４のいずれか一項に記載の画像形成装置。
【請求項６】
前記特定形状をとる空白領域を検出する前記空白領域検出部は、前記特定形状として、矩形形状の空白領域を検出する空白領域検出部であって、
副走査方向の画素の濃度値が連続して空白を意味する値である画素数をカウントする前記画像データの主走査方向の１ライン分の画素数に対応する複数の第１カウンタと、
前記第１カウンタのカウンタ値が予め設定されている第１の値以上の場合にはインクリメントして、主走査方向の画素の濃度が連続して空白を意味する値である画素数をカウントする第２カウンタと、
前記第２カウンタのカウンタ値が予め設定されている第２の値以上のとき、当該カウンタ値を前記第２の値として記憶する第２値記憶部と、
前記第２カウンタのカウンタ値が前記第２の値以上のときの前記画像データの主走査方向の画素の位置及び副走査方向の画素の位置を記憶する座標記憶部と、
を備え、
前記制御部は、
前記座標記憶部に記憶されている画像データの主走査方向の画素の位置及び副走査方向の画素の位置と、前記第１の値及び前記第２の値とに基づいて、最大の空白領域を算出する、
請求項１から５のいずれか一項に記載の画像形成装置。
【発明の詳細な説明】
【技術分野】
【０００１】
本発明は、画像形成装置に関する。
【背景技術】
【０００２】
近年、複写機やプリンタ等の画像形成装置に予め設定されたテスト画像を用紙に形成して出力させ、当該テスト画像が形成された用紙を用いて、用紙に形成される画質の評価や調整を行うことが行なわれている。
【０００３】
例えば、複数の原稿画像データのうち何れかの原稿画像データをサンプル画像データとして選択し、当該サンプル画像データを用紙に形成して出力し、出力されたサンプル画像データが形成された用紙（サンプルプリント紙）に基づいて装置内を構成する各部の調整を定期的に行う画像形成装置がある。
【０００４】
また、画像読取部から出力される画像データと、テストパターンとを１枚の用紙に重ねて又は分割して出力することにより、装置内の画像不良箇所の特定を容易にした画像形成装置が開示されている（特許文献１参照）。
【０００５】
また、ユーザの指示による目的画像の印刷に対して、用紙の周縁余白部分に、印刷の色成分の種類に応じた複数のパッチチャートの位置を用紙毎に順番に入れ替えられた基準画像を形成して出力させ、当該目的画像及び基準画像が形成された用紙をスキャナにて読み込み、読み込んだパッチチャートの階調情報に基づいてキャリブレーションを行なう技術が開示されている（特許文献２参照）。
【先行技術文献】
【特許文献】
【０００６】
【特許文献１】特開２００４−２２８６８７号公報
【特許文献２】特開２００５−３１８４７８号公報
【発明の概要】
【発明が解決しようとする課題】
【０００７】
しかしながら、サンプルプリント紙に形成される画像データとして、原稿画像データのみである場合には、各部を調整するためのサンプルプリント紙として適さない場合がある。例えば、サンプル画像データとして選出された原稿画像データが単色のテキスト画像データや白紙画像データである場合、出力された色の階調や他の色の状態を得ることができない。
【０００８】
また、サンプル画像データとして、原稿画像データの空白領域に予め設定されたテスト画像データが重畳された画像データを用いる場合には、原稿画像データの空白領域のサイズによってはテスト画像データを重畳できなかったり、原稿画像データにテスト画像データが重畳されたりする等の問題がある。
【０００９】
上記の問題により、サンプルプリント紙として適さない無駄な用紙が出力されたり、サンプルプリント紙として適しているか否かをユーザが判別する手間が生じたりする。
【００１０】
本発明の課題は、画質の評価や調整用としてのサンプルプリント紙の適性を向上させることである。
【課題を解決するための手段】
【００１１】
請求項１に記載の発明は、画像データに基づく画像を用紙に形成する画像形成部と、前記画像データの濃度ヒストグラムを生成する濃度ヒストグラム生成部と、前記画像データの空白領域のうち特定形状をとる面積が最大の空白領域の位置とサイズとを検出する空白領域検出部と、テスト画像データを生成するテスト画像データ生成部と、前記空白領域検出部により検出された前記画像データの最大の空白領域に、前記濃度ヒストグラム生成部により生成された濃度ヒストグラムに応じた前記テスト画像データを重畳させたサンプル画像データを生成させ、当該サンプル画像データに基づく画像を前記画像形成部により用紙に形成させる制御部と、を備える画像形成装置である。
【００１２】
請求項２に記載の発明は、請求項１に記載の画像形成装置において、前記画像データは、複数色の画像データであり、前記濃度ヒストグラム生成部は、各色の画像データの濃度ヒストグラムを生成し、前記テスト画像データ生成部は、各色のテスト画像データを生成し、前記制御部は、前記各色の画像データの濃度ヒストグラムに基づいて、前記特定形状で最大の空白領域に重畳する各色のテスト画像データの優先順位を設定し、当該優先順位に基づいて前記各色のテスト画像データを前記最大の空白領域に重畳させる。
【００１３】
請求項３に記載の発明は、請求項２に記載の画像形成装置において、前記制御部は、前記最大の空白領域のサイズが、全ての色のテスト画像データのサイズより小さい場合、予め設定された優先順位の色のテスト画像データを前記最大の空白領域に重畳させる。
【００１４】
請求項４に記載の発明は、請求項２又は３に記載の画像形成装置において、前記制御部は、前記特定形状で最大の空白領域のサイズが、予め設定された優先順位の色のテスト画像データよりも小さい場合、全ての色のテスト画像データのサイズを縮小して、前記最大の空白領域に重畳させる。
【００１５】
請求項５に記載の発明は、請求項２から４のいずれか一項に記載の画像形成装置において、前記制御部は、前記各色の濃度ヒストグラムを複数の濃度領域に分け、各色の各領域の画素数を算出し、当該各領域の画素数が予め設定された規定画素数以上か否かを判別し、前記規定画素数以上の領域が少ない色の順番で、前記優先順位を高く設定する。
【００１６】
請求項６に記載の発明は、請求項１から５のいずれか一項に記載の画像形成装置において、前記特定形状をとる空白領域を検出する前記空白領域検出部は、前記特定形状として、矩形形状の空白領域を検出する空白領域検出部であって、副走査方向の画素の濃度値が連続して空白を意味する値である画素数をカウントする前記画像データの主走査方向の１ライン分の画素数に対応する複数の第１カウンタと、前記第１カウンタのカウンタ値が予め設定されている第１の値以上の場合にはインクリメントして、主走査方向の画素の濃度が連続して空白を意味する値である画素数をカウントする第２カウンタと、前記第２カウンタのカウンタ値が予め設定されている第２の値以上のとき、当該カウンタ値を前記第２の値として記憶する第２値記憶部と、前記第２カウンタのカウンタ値が前記第２の値以上のときの前記画像データの主走査方向の画素の位置及び副走査方向の画素の位置を記憶する座標記憶部と、を備え、前記制御部は、前記座標記憶部に記憶されている画像データの主走査方向の画素の位置及び副走査方向の画素の位置と、前記第１の値及び前記第２の値とに基づいて、最大の空白領域を算出する。
【発明の効果】
【００１７】
請求項１に記載の発明によれば、画像データの特定形状（例えば、矩形）で最大の空白領域に当該画像データの濃度ヒストグラムに応じたテスト画像データを重畳したサンプル画像データを生成させ、当該サンプル画像データに基づく画像をサンプルプリント紙として出力させることができるため、画像データの空白領域にテスト画像データが重畳できなかったり、画像データにテスト画像データが重畳されてしまったりして、サンプルプリント紙として適さない無駄な用紙が出力されることを防止でき、また、画像データの濃度ヒストグラムに応じたテスト画像データが重畳されるため、出力色の階調の状態を得ることができ、サンプルプリント紙として適しているか否かをユーザが判別する手間を低減でき、画質の評価や調整用としてのサンプルプリント紙の適正を向上できる。
【００１８】
請求項２に記載の発明によれば、請求項１と同様の効果を得られるのは勿論のこと、複数色の階調の状態を得ることができると共に、優先順位に基づいて各色のテスト画像データを重畳できるため、画質の評価や調整の必要性が高いテスト画像データが画像データに重畳されたサンプルプリント紙を提供できる。
【００１９】
請求項３に記載の発明によれば、請求項２と同様の効果を得られるのは勿論のこと、特定形状（例えば、矩形）で最大の空白領域のサイズに全ての色のテスト画像データを重畳できない場合には、予め設定された優先順位の色のテスト画像データを重畳できるため、画質の評価や調整のために必要なテスト画像データが画像データに重畳されたサンプルプリント紙を提供できる。
【００２０】
請求項４に記載の発明によれば、請求項２又は３と同様の効果を得られるのは勿論のこと、特定形状（例えば、矩形）で最大の空白領域のサイズに予め設定された色のテスト画像データを重畳できない場合には、全ての色のテスト画像データを重畳できるため、テスト画像データが画像データに重畳されたサンプルプリント紙を提供できる。
【００２１】
請求項５に記載の発明によれば、請求項２から４のいずれか一項と同様の効果を得られるのは勿論のこと、各色の濃度ヒストグラムの各領域の画素数に応じて優先順位を設定することができるため、濃淡の変化が少ない色の優先順位を高く設定することができる。
【００２２】
請求項６に記載の発明によれば、請求項１から５のいずれか一項と同様の効果を得られるのは勿論のこと、画像データのうち特定形状で最大の空白領域を検出することができる。
【図面の簡単な説明】
【００２３】
【図１】画像形成装置の機能的構成図である。
【図２】画像メモリから入力された画像データが画像処理部を介してプリンタ部へ出力させる際の画像処理部の機能的構成図である。
【図３】空白領域検出部の機能的構成図の例である。
【図４】空白領域検出部で実行される空白領域検出処理のフローチャートである。
【図５】サンプルプリント処理のフローチャートである。
【図６】矩形形状の最大の空白領域に形成されるテスト画像の例である。
【発明を実施するための形態】
【００２４】
以下、図を参照して本発明の第１実施形態を詳細に説明する。
まず、構成を説明する。
図１に、画像形成装置１の機能的構成図を示す。
画像形成装置１は、画像データに基づいて用紙上に画像を形成するものである。
【００２５】
図１に示すように、画像形成装置１は、本体部１０、画像読取部２０、操作部３０、タッチパネル４０、表示部５０、プリンタ部６０を備えて構成されている。また、本体部１０は、画像処理部１００、制御部２００、記憶部３００、ＤＲＡＭ（Dynamic Random Access Memory）制御部４００、画像メモリ５００等から構成されている。なお、図１中の各部を接続する実線はシステムバスを示し、点線はシリアルバスを示す。
【００２６】
画像読取部２０は、光源、ＣＣＤ（Charge Coupled Device）、Ａ／Ｄ変換器等を備えている。画像読取時には、光源から原稿へ照明操作した光の反射光を結像してＣＣＤにより光電変換することにより原稿画像を読み取り、画像信号（アナログ信号）を生成する。その後、画像信号をＡ／Ｄ変換器によりＲＧＢ表色系のデジタルカラー画像データに変換し、本体部１０の画像処理部１００に出力する。ここで、画像は図形や写真等のイメージに限らず、文字や記号等のキャラクタイメージ等も含む。
【００２７】
操作部３０は、用紙上に画像形成の開始を指示するためのスタートキーや数字キー等の各種機能キーを備え、これら機能キーやタッチパネル４０が操作されると、対応する操作信号を本体制御部２００に出力する。
【００２８】
表示部５０は、タッチパネル４０と一体に形成されたＬＣＤ（Liquid Crystal Display）を備え、このＬＣＤ上に各種操作画面を表示させる。
【００２９】
プリンタ部６０は、本体部１０の画像処理部１００から入力される画像データに基づいて用紙上に画像形成処理を行い出力するものである。
プリンタ部６０は、例えば電子写真方式を採用する場合には、感光ドラムを有する露光部、トナーを付着させる現像部、トナーの定着処理を行う定着部等を備えて構成されている。画像形成時には露光部において画像データに基づく静電潜像を感光体ドラムに書き込み、現像部において当該感光ドラムにトナーを付着させトナー像を形成する。このトナー像は給紙トレイから搬送された用紙上に転写される。その後、当該用紙は定着部に搬送され、定着処理されて指定された排出先のトレイへ出力される。なお、画像形成方式は電子写真方式以外の方式であってもよい。
【００３０】
また、プリンタ部６０には、複数の排紙トレイとサンプル排紙トレイとを備える。
排紙トレイには、ユーザからの指示より生成された画像データに基づく画像が形成された用紙が出力される。サンプル排紙トレイには、サンプル画像データに基づく画像が形成されたサンプルプリント紙が出力される。
【００３１】
次に、本体部１０の各部について説明する。
本体部１０は、図１に示すように画像処理部１００、制御部２００、記憶部３００、ＤＲＡＭ制御部４００、画像メモリ５００等を備えて構成されている。
【００３２】
制御部２００は、ＣＰＵ（Central Processing Unit）、ＲＡＭ（Random Access Memory）等から構成され、記憶部３００に記憶されている各種制御プログラムに従って画像形成装置１の各部の動作を統括制御する。また、各種演算を行う。例えば、操作部３０から入力される操作信号に従って、コピー、プリンタ、スキャナのモードを切り替え、画像読取部２０による原稿の読み取り、画像データの画像メモリ５００への保存、プリンタ部６０への画像データの出力等の処理制御を行う。
【００３３】
また、制御部２００は、記憶部３００に記憶されているサンプルプリント処理プログラムに従って、サンプルプリント処理を実行する。サンプルプリント処理とは、排紙トレイに出力された用紙の枚数が、予め設定された枚数に達したとき（サンプルプリントタイミング）毎に、サンプルプリント紙を出力する処置である。
【００３４】
サンプルプリント紙は、当該サンプルプリントタイミングの直前に出力された用紙に形成された画像の画像データと、予め設定されたテスト画像データとを用いて、サンプル画像データが生成され、当該サンプル画像データに基づく画像が用紙に形成されたものである。サンプル画像データは、画像データの特定形状で最大の空白領域に、当該画像データの濃度ヒストグラムに応じてテスト画像データを重畳させて生成されるものである。
なお、本実施の形態では、特定形状を矩形形状とする。
【００３５】
制御部２００は、画像データの特定形状で最大の空白領域に、テスト画像データを重畳させる際、当該画像データを構成する各色の画像データの濃度ヒストグラムに基づいて、特定形状で最大の空白領域に重畳する各色のテスト画像データの優先順位を設定し、当該優先順位に基づいて各色のテスト画像データを特定形状で最大の空白領域に重畳させる。
【００３６】
記憶部３００は、本実施の形態におけるサンプルプリント処理プログラム、システムプログラム、プリント処理プログラム、その他各種プログラムの他、各種プログラムの実行に必要なファイルやデータ等を記憶している。
【００３７】
ＤＲＡＭ制御部４００は、制御部２００の制御に従って、画像メモリ５００に対する画像データの入出力を制御する。
例えば、画像読取部２０からＲ（赤）、Ｇ（緑）、Ｂ（青）の各色に分離されて入力された色毎の画像データに画像処理を施して、その処理画像データをプリンタ部６０に出力したり、画像メモリ５００に出力したりする。また、ＤＲＡＭ制御部４００は、画像メモリ５００から画像データを読み出して画像処理を施し、処理画像データをプリンタ部６０に出力する。
【００３８】
画像処理部１００は、シェーディング補正部、Ｉ−Ｉ´変換処理部、フィルタ処理部、変倍処理部、γ変換部、色変換処理部、統合処理部１１０、濃度ヒストグラム計数部１２０ｙ、１２０ｍ、１２０ｃ、１２０ｋ、空白領域検出部１３０、テスト画像データ生成部１４０ｙ、１４０ｍ、１４０ｃ、１４０ｋ等を備える。
【００３９】
シェーディング補正部は、画像読取部２０からＲ（赤）、Ｇ（緑）、Ｂ（青）の各色に分離されて入力された色毎の画像データの輝度ムラを補正する。Ｉ−Ｉ´変換処理部は、画像読取部２０か入力された各色の画像データの輝度変換を行う。フィルタ処理部は、ＭＴＦ（Modulation Transfer Function）フィルタを用いて入力された各色の画像データに鮮鋭化処理を施す。変倍処理部は、指定された出力サイズに応じて入力された各色の画像データの拡大又は縮小を行い、倍率を変更するものである。γ変換部は、入力された各色の画像データを、輝度リニアな特性から濃度リニア特性に変換する（γ変換処理という）。色変換処理部は、入力された各色（Ｒ、Ｇ、Ｂ）の画像データに対して色補正を施した後、画像形成装置１で出力可能な色材（Ｙ、Ｍ、Ｃ、Ｋ）に応じた各画像データに変換する。色変換処理部により生成された各色（Ｙ、Ｍ、Ｃ、Ｋ）の各画像データは画像メモリ５００に一時記憶される。
【００４０】
図２に、画像メモリ５００から入力された画像データが画像処理部１００を介してプリンタ部６０へ出力させる際の画像処理部１００の機能的構成図を示す。
図２に示すように、画像メモリ５００から入力された色変換処理済みの各色（Ｙ、Ｍ、Ｃ、Ｋ）の画像データが統合処理部１１０に入力される間に、濃度ヒストグラム計数部１２０ｙ、１２０ｍ、１２０ｃ、１２０ｋと、空白領域検出部１３０が設けられている。また、統合処理部１１０から各色の画像データがプリンタ部６０に出力される間に、テスト画像データ生成部１４０ｙ、１４０ｍ、１４０ｃ、１４０ｋが設けられている。
【００４１】
統合処理部１１０では、画像メモリ５００から入力された色変換処理済みの各色（Ｙ、Ｍ、Ｃ、Ｋ）の画像データに対して平均化処理、γ補正処理、スクリーン処理が実行される。
【００４２】
濃度ヒストグラム計数部１２０ｙ、１２０ｍ、１２０ｃ、１２０ｋは、各色の画像データの濃度ヒストグラムを生成し、当該濃度ヒストグラムを制御部２００に出力する。
濃度ヒストグラム計数部１２０ｙ、１２０ｍ、１２０ｃ、１２０ｋは、１頁中の画像データの各濃度に対する画素数をカウントする複数のカウンタから構成される。例えば、画像データの階調数が２５６階調である場合には、濃度ヒストグラム計数部は、各階調毎のカウンタ、即ち、２５６個のカウンタを備える。この各階調のカウンタは、１頁の画像データの入力開始時点でカウンタ値がクリアされる。
【００４３】
空白領域検出部１３０は、画像データの空白領域のうち特定形状として、ここでは矩形形状をとる面積が最大の空白領域の位置とサイズとを検出し、当該矩形形状で最大の空白領域の位置とサイズとを制御部２００に出力する。
【００４４】
図３に、空白領域検出部１３０の機能的構成図の例を示す。
図３に示すように、空白領域検出部１３０は、タイミング制御部１３１、副走査位置カウンタ１３２ｙ、主走査位置カウンタ１３２ｘ、空白検知回路１３３、カウンタ値設定部１３４、副走査空白長カウンタ群１３５、副走査最小サイズメモリ１３６ｙ、主走査サイズメモリ１３６ｘ、第１比較部１３７ａ、第２比較部１３７ｂ、主走査空白長カウンタ１３８、座標メモリ１３９等を備えている。
【００４５】
タイミング制御部１３１は、副走査書込信号（ＶＶ信号；Vertical Valid信号）と、主走査書込信号（ＨＶ信号；Horizontal Valid信号）と、クロック信号が入力される。
ＶＶ信号は、画像データの画像領域全体の有効領域信号を示す信号であり、１頁の画像データの入力開始時点でＯＮとなり、当該画像データの入力終了時点でＯＦＦとなる。
ＨＶ信号は、画像データに基づく画像が形成される用紙のサイズの主走査方向の幅に基づいて生成され、主走査方向の１ライン分が入力される時点でＯＮとなり、当該１ラインの入力が終了した時点でＯＦＦとなる。
ＶＶ信号、ＨＶ信号は、プリンタ部により画像メモリ５００に記憶されている画像データに基づいて画像を形成させる際、画像処理部１００内で生成される信号である。
クロック信号は、画像処理部１００（を有する基板）に設けられる水晶振動子等により生成される。
【００４６】
タイミング制御部１３１は、ＶＶ信号がＯＦＦからＯＮのタイミングで副走査クリア信号（Ｖｃ信号）を、副走査位置カウンタ１３２ｙ、副走査空白長カウンタ群１３５及び座標メモリ１３９に出力し、カウンタ値やメモリ値をクリアさせる。
また、タイミング制御部１３１は、ＨＶ信号がＯＦＦからＯＮのタイミングで主走査クリア信号（Ｈｃ信号）を、主走査位置カウンタ１３２ｘ及び主走査空白長カウンタ１３８に出力し、カウンタ値をクリアさせる。
【００４７】
副走査位置カウンタ１３２ｙは、タイミング制御部１３１から入力されるＶＶ信号及びＨＶ信号に基づいて、主走査方向の１ライン毎にカウンタ値をインクリメントし、当該カウンタ値を副走査位置Ｙとして座標メモリに出力する。
【００４８】
主走査位置カウンタ１３２ｘは、タイミング制御部１３１から入力されるＨＶ信号及びクロック信号に基づいて、主走査方向の１画素毎にカウンタ値をインクリメントし、当該カウンタ値を主走査位置Ｘとして副走査空白長カウンタ群及び座標メモリ１３９に出力する。
【００４９】
空白検知回路１３３は、クロック信号と当該クロック信号と同期して１画素毎に画像データが入力される。空白検知回路１３３は、入力された画像データが空白を意味する値である場合（例えば、濃度値としての０である場合）には、１を加算する指示をカウンタ値設定部に出力し、空白を意味する値でない場合（例えば、濃度値が０でない場合）には０をカウンタ値設定部に出力する。
【００５０】
カウンタ値設定部１３４は、空白検知回路から入力された値を副走査空白長カウンタ群１３５に出力する。
【００５１】
副走査空白長カウンタ群１３５は、画像データの副走査方向の画素の濃度値が連続して０である画素数をカウントする画像データの主走査方向の１ライン分の画素数に対応する複数の副走査空白長カウンタ（第１カウンタ）からなる。
この副走査空白長カウンタ群１３５は、各副走査空白長カウンタを実現するメモリにより実現されており、各副走査空白長カウンタには主走査方向の画素位置（アドレス）が設定されている。
副走査空白長カウンタ群１３５では、主走査位置カウンタ１３２ｘから入力される主走査位置Ｘに対応するアドレスの副走査空白長カウンタが選択され、当該選択された副走査空白長カウンタの値（副走査空白長Ｍ［Ｘ］）が、カウンタ値設定部１３４から入力される値に設定される。また、選択されたカウンタ値として設定された値（副走査空白長Ｍ［Ｘ］）は、第１比較部１３７ａに出力される。
【００５２】
副走査最小サイズメモリ１３６ｙは、制御部２００から入力された副走査最小サイズＶｓを記憶しており、副走査最小サイズＶｓを第１比較部１３７ａに出力するする。
副走査最小サイズＶｓは、予め設定された最小の空白領域の副走査方向の画素数を示す第１の値であり、テスト画像データの副走査方向のサイズ以上の画素数である。
【００５３】
第１比較部１３７ａは、副走査最小サイズＶｓと副走査空白長Ｍ［Ｘ］とを比較し、当該比較結果を主走査空白長カウンタ１３８に出力する。
第１比較部１３７ａでは、副走査空白長Ｍ［Ｘ］が副走査最小サイズＶｓ以上の場合には、１を加算する指示を主走査空白長カウンタ１３８に出力し、副走査空白長Ｍ［Ｘ］が副走査最小サイズＶｓよりも小さい場合には、０を主走査空白長カウンタ１３８に出力する。
【００５４】
主走査空白長カウンタ１３８は、第１比較部から入力される比較結果に応じてカウンタ値を設定し、当該設定したカウンタ値を主走査空白長Ｈｌとして第２比較部１３７ｂに出力する。
主走査空白長カウンタ１３８は、第１比較部から入力される比較結果が、副走査方向空白長Ｍ［Ｘ］が副走査最小サイズＶｓ以上の場合にはインクリメントして、主走査方向の画素の濃度が連続して０である画素数をカウントする第２カウンタとして機能する。
【００５５】
主走査サイズメモリ１３６ｘは、制御部２００から入力される予め設定された第２の値としての初期主走査サイズＨｓを記憶し、当該初期主走査サイズＨｓを第２比較部１３７ｂに出力する。初期主走査サイズＨｓは、１つのテスト画像データの主走査方向のサイズ以上の画素数である。
また、主走査サイズメモリ１３６ｘは、主走査空白長Ｈｌが初期主走査サイズＨｓ以上のとき、当該主走査空白長Ｈｌを初期主走査サイズＨｓとして書き替えて記憶する第２値記憶部として機能する。
【００５６】
第２比較部１３７ｂは、主走査空白長カウンタ１３８から入力される主走査空白長Ｈｌと主走査サイズメモリ１３６ｘから入力される初期主走査サイズＨｓとを比較し、当該比較結果を座標メモリ１３９と主走査サイズメモリ１３６ｘに出力する。
第２比較部１３７ｂは、主走査空白長Ｈｌが初期主走査サイズＨｓ以上の場合には、主走査空白長Ｈｌを座標メモリ１３９及び主走査サイズメモリ１３６ｘに出力し、主走査空白長Ｈｌが初期主走査サイズＨｓよりも小さい場合には、座標メモリ１３９及び主走査サイズメモリ１３６ｘには信号を出力しない。
【００５７】
座標メモリ１３９は、第２比較部１３７ｂから主走査空白長Ｈｌが入力された場合、副走査位置カウンタ１３２ｙから入力される副走査位置Ｙ、主走査位置カウンタ１３２ｘから入力される主走査位置Ｘ、を記憶する座標記憶部として機能し、当該主走査位置Ｘ及び副走査位置Ｙを制御部２００に出力する。
【００５８】
図４に、空白領域検出部１３０で実行される空白領域検出処理のフローチャートを示す。
まず、ＶＶ信号、ＨＶ信号がＯＦＦからＯＮとなると、タイミング制御部１３１により、副走査クリア信号Ｖｃ、主走査クリア信号Ｈｃが出力され、空白領域検出部１３０内の全てのカウンタのカウンタ値がクリアされる（ステップＳ１）。ステップＳ１では、副走査位置カウンタ１３２ｙの副走査位置Ｙが０、主走査位置カウンタ１３２ｘの主走査位置Ｘが０、副走査空白長カウンタ群１３５の各カウンタの値（副走査空白長Ｍ［Ｘ］）が０、主走査空白長カウンタの主走査空白長Ｈｌが０に設定される。
【００５９】
そして、ＶＶ信号がＯＮの状態でＨＶ信号がＯＦＦからＯＮとなると、副走査位置カウンタがインクリメント（Ｙ＝Ｙ＋１）する（ステップＳ２）。また、タイミング制御部１３１から入力される主走査クリア信号Ｈｃにより、主走査位置カウンタ１３２ｘがクリア（Ｘ＝０）され、主走査空白長カウンタ１３８がクリア（Ｈｌ＝０）される（ステップＳ３）。
【００６０】
空白検知回路に入力されるクロック信号に同期して画像データの１画素が入力されると、主走査位置カウンタ１３２ｘがインクリメント（Ｘ＝Ｘ＋１）する。また、インクリメントされた主走査位置カウンタ１３２ｘの主走査位置Ｘに対応する副走査空白長カウンタ群のカウンタの値（副走査空白長Ｍ［Ｘ］）が読み出される。
【００６１】
空白検知回路１３３にて、入力された画素の画像データが空白か（濃度が０か）否かが判別される（ステップＳ５）。入力された画素の画像データが空白の場合（ステップＳ５；ＹＥＳ）、読み出された副走査空白長Ｍ［Ｘ］に１が加算されて書き込まれる（ステップＳ６）。入力された画素の画像データが空白でない場合（ステップＳ５；ＮＯ）、読み出された副走査空白長Ｍ［Ｘ］に０が書き込まれる（ステップＳ７）。
【００６２】
ステップＳ６又はステップＳ７の後、第１比較部１３７ａにより、読み出された副走査空白長Ｍ［Ｘ］が副走査最小サイズＶｓ以下か否かが判別される（ステップＳ８）。読み出された副走査空白長Ｍ［Ｘ］が副走査最小サイズＶｓ以上である場合（ステップＳ８；ＹＥＳ）、主走査空白長カウンタ１３８のカウンタ値（主走査空白長Ｈｌ）が１増加される（ステップＳ９）。読み出された副走査空白長Ｍ［Ｘ］が副走査最小サイズＶｓよりも小さい場合（ステップＳ８；ＮＯ）、主走査空白長カウンタ１３８のカウンタ値（主走査空白長Ｈｌ）がクリアされ０に設定される（ステップＳ１０）。
【００６３】
ステップＳ９又はステップＳ１０後、第２比較部１３７ｂにより、ステップＳ９又はステップＳ１０で設定された主走査空白長Ｈｌは、初期主走査サイズＨｓ以上か否かが判別される（ステップＳ１１）。主走査空白長Ｈｌが初期主走査サイズＨｓより小さい場合（ステップＳ１１；ＮＯ）、ステップＳ１４の処理に進む。
【００６４】
主走査空白長Ｈｌが初期主走査サイズＨｓ以上である場合（ステップＳ１１；ＹＥＳ）、副走査位置Ｙ及び主走査位置Ｘが座標メモリ１３９に記憶され（ステップＳ１２）、主走査サイズメモリ１３６ｘに記憶されている初期主走査サイズＨｓが主走査空白長Ｈｌに書き替えられて更新される（ステップＳ１３）。
【００６５】
ステップＳ１１；ＮＯ後又はステップＳ１３後、タイミング制御部１３１により、ＨＶ信号がＯＮであるか否かが判別される（ステップＳ１４）。ＨＶ信号がＯＮである場合（ステップＳ１４；ＹＥＳ）、ステップＳ４の処理が実行される。
【００６６】
ＨＶ信号がＯＮでない場合、即ち、ＨＶ信号がＯＦＦの場合（ステップＳ１４；ＮＯ）、タイミング制御部１３１により、ＶＶ信号がＯＮであるか否かが判別される（ステップＳ１５）。ＶＶ信号がＯＮである場合（ステップＳ１５；ＹＥＳ）、ステップＳ２の処理が実行される。
【００６７】
ＶＶ信号がＯＮでない場合、即ち、ＶＶ信号がＯＦＦの場合（ステップＳ１５；ＮＯ）、１頁分の画像データの最大の空白領域の検出処理が終了する。このとき、座標メモリ１３９に記憶されている主走査位置Ｘと副走査位置Ｙと、主走査サイズメモリ１３６ｘに記憶されている初期主走査サイズＨｓとが制御部２００に出力される。
【００６８】
テスト画像データ生成部１４０ｙ、１４０ｍ、１４０ｃ、１４０ｋは、各色の予め設定されたテスト画像データを生成するテスト画像データ生成部であり、当該生成したテスト画像データを制御部２００からの指示に従って、サンプルプリント処理が実行される際に各色の画像データに重畳させる。テスト画像データが重畳された画像データは、サンプル画像データとしてプリンタ部６０に出力される。
テスト画像データは、予め設定された複数の階調パターンから成る画像データである。
【００６９】
画像メモリ５００は、ＤＲＡＭ（Dynamic Random Access Memory）、ハードディスク等から構成されており、圧縮メモリ領域、ページメモリ領域から構成されている。圧縮メモリ領域は画像処理部１００により処理された画像データを保存するための領域であり、ページメモリ領域は画像形成対象の画像データを画像形成前に一時的に格納するための領域である。
【００７０】
次に、本実施の形態の動作を説明する。ここでは、特定形状として、矩形の例を示す。以下、最大の空白領域とは、最大の矩形空白領域を示す。
図５に、本実施の形態におけるサンプルプリント処理のフローチャートを示す。
図５に示すサンプルプリント処理は、制御部２００と、画像処理部１００等の各部とが協働して実行するものである。
【００７１】
制御部２００は、サンプルプリントタイミングか否かを判別する（ステップＳ２１）。ステップＳ２１では、制御部２００は、例えば、排紙トレイに用紙が出力されたとき、当該排紙トレイに出力された用紙を含めて前回のサンプルプリントタイミングから計数された排紙トレイに出力された用紙の枚数が、予め設定された枚数に達した場合、サンプルプリントタイミングとして判別する。
【００７２】
サンプルプリントタイミングでない場合（ステップＳ２１；ＮＯ）、制御部２００は、排紙トレイに出力された用紙の枚数（出力枚数）を更新し（ステップＳ２２）、ステップＳ２１の処理に戻る。
【００７３】
制御部２００は、サンプルプリントタイミングの場合（ステップＳ２１；ＹＥＳ）、画像メモリに記憶されている画像データ（即ち、サンプルプリントタイミングのときに出力された用紙に形成された画像の画像データ）を読み出して画像処理部１００に出力させる。また、制御部２００は、サンプルプリントタイミングのときに出力された用紙に形成された画像の画像データに対して、濃度ヒストグラム計数部１２０ｙ、１２０ｍ、１２０ｃ、１２０ｋにより生成された各色の濃度ヒストグラムを取得する（ステップＳ２３）。
【００７４】
制御部２００は、取得した各色の濃度ヒストグラムに基づいて、出力色の優先順位の決定処理を実行する（ステップＳ２４）。
【００７５】
ステップＳ２４では、制御部２００は、予め設定された濃度閾値ｔｈ１、ｔｈ２を用いて、各色の濃度ヒストグラムそれぞれに対して、低濃度領域、中濃度領域、高濃度領域の３つの領域に分け、各領域の空白画素以外の画素数（低濃度画素数Ｌ、中濃度画素数Ｍ、高濃度画素数Ｈ）を算出する。そして、制御部２００は、各色の低濃度画素数Ｌ、中濃度画素数Ｍ、高濃度画素数Ｈそれぞれが、予め設定された画素数（規定画素数）以上あるか否かを判別し、規定画素数以下となる領域が多い色に対して優先順位を高く設定する。
【００７６】
例えば、低濃度画素数Ｌ、中濃度画素数Ｍ、高濃度画素数Ｈ全てが規定画素数以下である場合には、優先順位が「高」に設定される。低濃度画素数Ｌ、中濃度画素数Ｍ、高濃度画素数Ｈのうち２つの領域の画素数が規定画素数以下である場合には、優先順位が「中」に設定される。低濃度画素数Ｌ、中濃度画素数Ｍ、高濃度画素数Ｈのうち１つの領域の画素数が規定画素数以下である場合には、優先順位が「低」に設定される。規定画素数以下となる領域がない場合には、優先順位が「最低」に設定される。
【００７７】
制御部２００は、各色の優先順位のうち、同一の優先順位となる色があるか否かを判別する。同一の優先順位となる色がある場合には、当該同一の各色の不足画素数を算出し、当該不足画素数が大きい程、優先順位を高く設定する。
【００７８】
例えば、同一の優先順位となる各色の各領域において、規定画素数Ｌｉから規定画素数以下となる領域の画素数の差分値を算出し、当該差分値の合計値を不足画素数として算出する。
イエロー（Ｙ）の低濃度画素数Ｌｙ及び中濃度画素数Ｍｙが規定画素数以下であり、シアン（Ｃ）の中濃度画素数Ｍｃ及び高濃度画素数Ｈｃが規定画素数以下であり、同一の優先順位「中」となった場合を例として挙げて説明する。
イエロー（Ｙ）において、規定画素数Ｌｉから規定画素数以下となる領域の画素数（Ｌｙ、Ｍｙ）の差分値（Ｌｉ−Ｌｙ、Ｌｉ−Ｍｙ）が算出され、当該差分値の合計値（（Ｌｉ−Ｌｙ）＋（Ｌｉ−Ｍｙ））が不足画素数として算出される。同様に、シアン（Ｃ）において、規定画素数Ｌｉから規定画素数以下となる領域の画素数（Ｍｃ、Ｈｃ）の差分値（Ｌｉ−Ｍｃ、Ｌｉ−Ｈｃ）が算出され、当該差分値の合計値（（Ｌｉ−Ｍｃ）＋（Ｌｉ−Ｈｃ）が不足画素数として算出される。そして、算出したイエロー（Ｙ）の不足画素数とシアン（Ｃ）の不足画素数とが比較され、不足画素数が大きい方が優先順位が高く設定される。
【００７９】
このように、各色の濃度ヒストグラムの各領域の画素数に応じて優先順位を設定することができるため、濃淡の変化が少ない色の優先順位を高く設定することができる。
【００８０】
制御部２００は、ステップＳ２４後、サンプルプリントタイミングのときに出力された用紙に形成された画像の画像データに対して、空白領域検出部１３０により検出された最大の空白領域のデータを取得する（ステップＳ２５）。
【００８１】
ステップＳ２５では、制御部２００は、空白領域検出部１３０から主走査位置Ｘ及び副走査位置Ｙと、初期主走査サイズＨｓとを最大の空白領域のデータとして取得する。そして制御部２００は、取得したデータと予め記憶している副走査最小サイズＶｓとに基づいて、最大の空白領域の４点の座標を算出し、最大の空白領域のサイズを算出する。
【００８２】
制御部２００は、最大の空白領域のサイズが全色のテスト画像サイズ以上か否かを判別する（ステップＳ２６）。
【００８３】
ステップＳ２６では、テスト画像データ生成部１４０ｙ、１４０ｍ、１４０ｃ、１４０ｋそれぞれにより生成されるテスト画像データに基づいて用紙に形成される各色のテスト画像のサイズの合計サイズ（全色のテスト画像サイズ）が算出される。そして、最大の空白領域のサイズが算出された合計サイズ以上か否かが判別されることにより、最大の空白領域のサイズは、全色のテスト画像を形成可能なサイズであるか否かが判別される。
【００８４】
制御部２００は、最大の空白領域のサイズが全色のテスト画像サイズ以上である場合（ステップＳ２６；ＹＥＳ）、全色のテスト画像データ生成部１４０ｙ、１４０ｍ、１４０ｃ、１４０ｋからそれぞれテスト画像データを画像データに重畳させてサンプル画像データを生成させ、当該サンプル画像データをプリンタ部６０に出力させる（ステップＳ２７）。
【００８５】
制御部２００は、最大の空白領域のサイズが全色のテスト画像サイズよりも小さい場合（ステップＳ２６；ＮＯ）、最大の空白領域のサイズが、予め設定された優先順位の色を除く色のテスト画像サイズ以上か否かを判別する（ステップＳ２８）。
本実施の形態では、予め設定された優先順位の色を、優先順位が「低」以下に設定された色を除く色、即ち、優先順位が「高」又は「中」に設定された色として説明する。
【００８６】
ステップＳ２８では、優先順位が「低」に設定された色を除く色のテスト画像データ生成部により生成されるテスト画像データに基づいて用紙に形成される色のテスト画像のサイズの合計サイズ（優先順位が「低」以下に設定された色を除くテスト画像サイズ）が算出される。そして、最大の空白領域のサイズが算出された合計サイズ以上か否かが判別されることにより、最大の空白領域のサイズは、優先順位が「低」以下に設定された色を除く色（即ち、優先順位が「中」及び「高」に設定された色）のテスト画像を形成可能なサイズであるか否かが判別される。
【００８７】
制御部２００は、最大の空白領域のサイズが優先順位が「低」以下に設定された色を除く色のテスト画像サイズ以上である場合（ステップＳ２８；ＹＥＳ）、優先順位が「低」以下に設定された色のテスト画像データ生成部からそれぞれテスト画像データを画像データに重畳させてサンプル画像データを生成させ、当該サンプル画像データをプリンタ部６０に出力させる（ステップＳ２９）。
【００８８】
制御部２００は、最大の空白領域のサイズが優先順位が「低」以下に設定された色を除く色のテスト画像サイズよりも小さい場合（ステップＳ２８；ＮＯ）、テスト画像データ生成部１４０ｙ、１４０ｍ、１４０ｃ、１４０ｋが生成するテスト画像データが縮小済みか否かを判別する（ステップＳ３０）。
【００８９】
制御部２００は、テスト画像データ生成部１４０ｙ、１４０ｍ、１４０ｃ、１４０ｋが生成するテスト画像データが縮小済みでない場合（ステップＳ３０；ＮＯ）、各色のテスト画像データ生成部１４０ｙ、１４０ｍ、１４０ｃ、１４０ｋに対して、テスト画像データのサイズを予め設定されたサイズに縮小するよう指示し（ステップＳ３１）、ステップＳ２６の処理に戻る。各色のテスト画像データ生成部１４０ｙ、１４０ｍ、１４０ｃ、１４０ｋは、制御部２００からの指示に従って、テスト画像データのサイズを予め設定されたサイズに縮小する。
【００９０】
制御部２００は、テスト画像データ生成部１４０ｙ、１４０ｍ、１４０ｃ、１４０ｋが生成するテスト画像データが縮小済みである場合（ステップＳ３０；ＹＥＳ）、優先順位が最も高い色のテスト画像データ生成部からテスト画像データを画像データに重畳させてサンプル画像データを生成させ、当該サンプル画像データをプリンタ部６０に出力させる（ステップＳ３２）。
【００９１】
なお、ステップＳ３２では、優先順位が最も高い色のテスト画像データを画像データに重畳させているが、予め設定された色のテスト画像データを画像データに重畳させてもよい。
【００９２】
制御部２００は、ステップＳ２７、ステップＳ２９又はステップＳ３２後、サンプル画像データに基づく画像をプリンタ部６０により用紙上に形成させ、サンプルプリント紙をサンプル排紙トレイに出力させ（ステップＳ３３）、サンプルプリント処理を終了する。
【００９３】
図６に、矩形形状の最大の空白領域に形成されるテスト画像の例を示す。
図６（ａ）に、最大の空白領域のサイズが全色のテスト画像サイズ以上である場合のテスト画像の例を示す。
図６（ａ）に示すように、最大の空白領域のサイズが全色のテスト画像サイズ以上である場合には、全色のテスト画像（イエローのテスト画像Ｔｙ、マゼンダのテスト画像Ｔｍ、シアンのテスト画像Ｔｃ、ブラックのテスト画像Ｔｋ）が形成される。
【００９４】
図６（ｂ）に、最大の空白領域のサイズが全色のテスト画像サイズよりも小さく、優先順位が「低」以下に設定された色を除くテスト画像サイズ以上である場合に形成されるテスト画像の例を示す。
図６（ｂ）に示すテスト画像の例は、例えば、最大の空白領域のサイズが全色のテスト画像サイズよりも小さい場合であって、画像データがブラック（Ｋ）単色の画像データであり、イエロー（Ｙ）、マゼンダ（Ｍ）、シアン（Ｃ）の優先順位が「高」又は「中」に設定され、ブラック（Ｋ）の優先順位が「低」又は「最低」に設定されている場合である。
図６（ｂ）に示すように、この場合には、優先順位が「低」以下に設定された色を除く色のテスト画像（イエローのテスト画像Ｔｙ、マゼンダのテスト画像Ｔｍ、シアンのテスト画像Ｔｃ）が形成される。
【００９５】
図６（ｃ）に、各色のテスト画像データを縮小した場合、最大の空白領域のサイズが全色の縮小済みのテスト画像サイズ以上である場合のテスト画像の例を示す。
図６（ｃ）に示すように、最大の空白領域のサイズが全色の縮小済みのテスト画像サイズ以上である場合には、全色の縮小済みのテスト画像（イエローの縮小済みテスト画像Ｔｙｒ、マゼンダの縮小済みテスト画像Ｔｍｒ、シアンの縮小済みテスト画像Ｔｃｒ、ブラックの縮小済みテスト画像Ｔｋｒ）が形成される。
【００９６】
図６（ｄ）に、各色のテスト画像データが縮小済みである場合のテスト画像の例を示す。
図６（ｄ）に示すテスト画像の例は、例えば、全色のテスト画像データが縮小済みであって、優先順位が最も高い色がシアン（Ｃ）に設定されている場合である。図６（ｄ）に示すように、この場合には、優先順位が最も高い色のテスト画像（シアンのテスト画像Ｔｃ）が形成される。
【００９７】
以上のように、本実施の形態によれば、画像データの最大の空白領域に当該画像データの濃度ヒストグラムに応じたテスト画像データを重畳したサンプル画像データを生成させ、当該サンプル画像データに基づく画像をサンプルプリント紙として出力させることができる。従って、画像データの空白領域にテスト画像データが重畳できなかったり、画像データにテスト画像データが重畳されてしまったりして、サンプルプリント紙として適さない無駄な用紙が出力されることを防止できる。また、画像データの濃度ヒストグラムに応じたテスト画像データが重畳されるため、出力色の階調の状態を得ることができ、サンプルプリント紙として適しているか否かをユーザが判別する手間を低減できる。以上のことから、画質の評価や調整用としてのサンプルプリント紙の適正を向上できる。
【００９８】
また、複数色の階調の状態を得ることができると共に、優先順位に基づいて各色のテスト画像データを重畳できるため、画質の評価や調整の必要性が高いテスト画像データが画像データに重畳されたサンプルプリント紙を提供できる。
【００９９】
更に、最大の矩形空白領域のサイズに全ての色のテスト画像データを重畳できない場合には、予め設定された優先順位の色のテスト画像データを重畳できるため、画質の評価や調整のために必要なテスト画像データが画像データに重畳されたサンプルプリント紙を提供できる。
【０１００】
また、最大の矩形空白領域のサイズに予め設定された色のテスト画像データを重畳できない場合には、テスト画像データを縮小して重畳できるため、テスト画像データが画像データに重畳されたサンプルプリント紙を提供できる。
【０１０１】
また、空白領域検出部１３０により、１頁中の画像データのうち、副走査方向のサイズが副走査最小サイズ以上で、主走査方向のサイズが１頁中の画像データのうち最大のサイズとなるときの主走査位置Ｘ及び副走査位置Ｙと初期主走査サイズＨｓが検出できるため、制御部２００にて、１頁中の画像データのうち最大の矩形空白領域を得ることができる。
【０１０２】
本発明は、上記実施の形態の内容に限定されるものではなく、本発明の主旨を逸脱しない範囲で適宜変更可能である。
【符号の説明】
【０１０３】
１  画像形成装置
１０  本体部
２０  画像読取部
３０  操作部
４０  タッチパネル
５０  表示部
６０  プリンタ部
１００  画像処理部
１１０  統合処理部
１２０ｙ、１２０ｍ、１２０ｃ、１２０ｋ  濃度ヒストグラム計数部
１３０  空白領域検出部
１３１  タイミング制御部
１３２ｙ  副走査位置カウンタ
１３２ｘ  主走査位置カウンタ
１３３  空白検知回路
１３４  カウンタ値設定部
１３５  副走査空白長カウンタ群
１３６ｙ  副走査最小サイズメモリ
１３６ｘ  主走査サイズメモリ
１３７ａ  第１比較部
１３７ｂ  第２比較部
１３８  主走査空白長カウンタ
１３９  座標メモリ
１４０ｙ、１４０ｍ、１４０ｃ、１４０ｋ  テスト画像データ生成部
２００  制御部
３００  記憶部
４００  ＤＲＡＭ制御部
５００  画像メモリ
Ｈｃ  主走査クリア信号
Ｈｌ  主走査空白長
Ｈｓ  初期主走査サイズ
Ｍ［Ｘ］  副走査空白長
Ｖｃ  副走査クリア信号
Ｖｓ  副走査最小サイズ
Ｙ  副走査位置
Ｘ  主走査位置
【図１】
2010177862.tif 000003
【図２】
2010177862.tif 000004
【図３】
2010177862.tif 000005
【図４】
2010177862.tif 000006
【図５】
2010177862.tif 000007
【図６】
2010177862.tif 000008